(57)【要約】      （修正有）【課題】無線通信システムにおけるモバイル機器の、少なくとも１つの二次セルを処理する方法を提供する。【解決手段】モバイル機器は、無線通信システムの第1ネットワークにより管理される。第1ネットワークから無線通信システムの第2ネットワークへのハンドオーバをモバイル機器に指示するハンドオーバコマンドを、第1ネットワークから受信した後、少なくとも１つの二次セルを解放する工程を含み、第2ネットワークは、3GPP Rel-9または3GPP Rel-9より前のバージョンの3GPP規格に適合しており、第1ネットワークは、3GPP Rel-10または3GPP Rel-10より後のバージョンの3GPP規格に適合している。【選択図】図１
2012065319.tif 000002
【特許請求の範囲】
【請求項１】
無線通信システムにおける、前記無線通信システムの第1ネットワークにより管理されるモバイル機器の、少なくとも１つの二次セルを処理する方法であって、
前記方法は、
前記第1ネットワークから前記無線通信システムの第2ネットワークへのハンドオーバを前記モバイル機器に指示するハンドオーバコマンドを、前記第1ネットワークから受信した後、前記少なくとも１つの二次セルを解放する工程を含み、
前記第2ネットワークは、3GPP Rel-9または3GPP Rel-9より前のバージョンの3GPP規格に適合しており、前記第1ネットワークは、3GPP Rel-10または3GPP Rel-10より後のバージョンの3GPP規格に適合していることを特徴とする方法。
【請求項２】
前記ハンドオーバコマンドは、フル設定インジケータを含む、RRCConnectionReconfigurationメッセージであることを特徴とする、請求項１に記載の方法。
【請求項３】
無線通信システムの第1ネットワークから前記無線通信システムの第2ネットワークへのinter-RAT（radio access technology）ハンドオーバを処理するための、前記無線通信システムの前記第1ネットワークの前記inter-RATハンドオーバを処理する方法であって、
複数の測定結果を前記第2ネットワークへ送信する工程を含み、
前記複数の測定結果は、第1コンポーネントキャリアに最適なセルの情報、および第2コンポーネントキャリアが利用可能な少なくとも１つのセルの情報を含むことを特徴とする方法。
【請求項４】
前記複数の測定結果を前記第2ネットワークへ送信する前記工程は、前記複数の測定結果を含むハンドオーバ準備メッセージを、前記第2ネットワークへ送信する工程を含むことを特徴とする、請求項３に記載の方法。
【請求項５】
前記複数の測定結果に基づいて、前記第2ネットワークにより、ハンドオーバコマンドを生成する工程をさらに含むことを特徴とする、請求項３に記載の方法。
【請求項６】
前記ハンドオーバコマンドは、一次セル設定、および、少なくとも１つの二次セル設定を含む、RRCConnectionReconfigurationメッセージであることを特徴とする、請求項５に記載の方法。
【請求項７】
前記第1ネットワークは、3GPP Rel-9または3GPP Rel-9以より前のバージョンの3GPP規格に適合しており、前記第2ネットワークは、3GPP Rel-10または3GPP Rel-10より後のバージョンの3GPP規格に適合していることを特徴とする、請求項３に記載の方法。
【発明の詳細な説明】
【技術分野】
【０００１】
本発明は、無線通信システムにおいて用いられる方法、および関連する通信装置において用いられる方法に関する。より具体的には、二次セルの設定方法および関連する通信装置に関する。
【背景技術】
【０００２】
3GPP（3rd Generation Partnership Project）により、広帯域符号分割多元接続（WCDMA）を無線エアインターフェースとして採用した、ユニバーサル移動体通信システム（UMTS: Universal Mobile Telecommunications System）が開発されている。UMTSにおいては、ユニバーサル地上波無線アクセスネットワーク（UTRAN: Universal Terrestrial Radio Access Network）として知られる無線アクセスネットワークが、複数のユーザ装置（UE）と通信するための複数のノードB（NB）を有している。WCDMAにより、UMTSにおけるユーザ装置UEやノードNBにとって望ましい、高周波スペクトル利用、広大なサービスエリア、および高速マルチメディアデータ伝送が提供される。また、UMTSの性能をさらに向上させて、高まるユーザのニーズを満たすために、現在3GPPは、3GPP Rel-8規格および／または3GPP Rel-9規格をサポートするロング・ターム・エボルーション（LTE: Long-Term Evolution）システムを、UMTSの後継として開発中である。LTEシステムは、新しい無線インターフェース、ならびに、データ転送速度の向上、遅延の低減、パケット最適化、システム容量の向上、およびサービスエリアの拡大を実現する、新しい無線ネットワークアーキテクチャを有する。LTEシステムにおいては、発展型UTRAN（E-UTRAN: Evolved UTRAN）として知られる無線アクセスネットワークが、複数のユーザ装置UEと通信するための複数の発展型ノードB（eNB: Evolved Node B）を有しており、MME（Mobility Management Entity）を有したコアネットワークと通信を行って、NAS (Non Access Stratum) 制御のためのゲートウェイ等として機能する。
【０００３】
ハンドオーバの主な目的は、音声またはデータを取り扱い中であるかもしれない通信中の接続を、ユーザ装置UEの移動中に維持することにある。ユーザ装置UEは、通信相手としている発展型ノードeNBのサービスエリアから、その近隣に存在する複数の発展型ノードeNBのサービスエリアへ移動することがあるため、通信中の接続を維持するには、この接続を、ユーザ装置UEの移動に応じて移さなければならない。移動元の発展型ノードeNBは、移動元の発展型ノードeNBおよびその近隣の複数の発展型ノードeNBに関する信号品質情報を含んだ、ユーザ装置UEにより提供される測定レポートに基づいて、ハンドオーバが開始されるべきか否かを決定する。移動元の発展型ノードeNBは、UE無線リソース制御（RRC: Radio Resource Control）コンテクスト情報を近隣の複数の発展型ノードeNBに送信し、対応する無線リソース設定情報をこれら近隣の複数の発展型ノードeNBより受信することにより、ハンドオーバを実行する。この無線リソース設定情報に従って、移動元の発展型ノードeNBは、ハンドオーバコマンドをユーザ装置UEに送信し、ユーザ装置UEは、このハンドオーバコマンドに従って、ターゲットの発展型ノードeNBへの、無線アクセスチャネル（RACH: Radio Access Channel）手順を含むハンドオーバを実行する。なお、LTEシステムには専用のハンドオーバコマンドはなく、mobilityControlinfo を含むRRCConnectionReconfigurationメッセージが、ユーザ装置UEにハンドオーバを開始させるためのハンドオーバコマンドとして使用される。
【０００４】
LTE-advanced (LTE-A)システムは、その名称が示唆するように、LTEシステムを発展させたものである。LTE-Aシステムは、電力状態間のより高速なスイッチングを目指しており、発展型ノードeNBのサービスエリアの境界におけるパフォーマンスを向上させ、キャリアアグリゲーション (CA: Carrier Aggregation)、多地点協調 (CoMP: Coordinated MultiPoint Transmission/Reception)、UL MIMO (Multiple-Input Multiple-Output)等の先進的な技術を有している。ユーザ装置UEと発展型ノードeNBが、LTE-Aシステムにおいて互いに通信するためには、これらユーザ装置UEと発展型ノードeNBが、3GPP Rel-10規格やそれ以降の規格のような、LTE-Aシステム向けに策定された規格をサポートしている必要がある。 
【０００５】
帯域幅拡大のため、LTE-AシステムにはCA (Carrier Aggregation) が導入され、これにより２つ以上のコンポーネントキャリア（component carrier）が統合されて、より広帯域の伝送が実現される。これにより、LTE-Aシステムは、それぞれの帯域幅が20MHzでありこれら帯域幅が3GPP Rel-8規格に下位互換である、最大で５つのコンポーネントキャリアを統合することにより、100MHzまでのより広い帯域幅をサポートできる。LTE-Aシステムは、それぞれ最大で110リソースブロックに制限される、連続コンポーネントキャリアおよび非連続コンポーネントキャリアのために、CAをサポートする。CAは、非連続コンポーネントキャリアを統合することで、帯域幅の自由度を高める。
【０００６】
CAが導入されると、ユーザ装置UEは、単一または複数のコンポーネントキャリア上でデータを受信および送信できるようになり、データ転送速度が向上する。LTE-Aシステムにおいては、発展型ノードeNB は、ユーザ装置UE を設定する際に、UL統合性能およびDL統合性能により、それぞれ異なる数のULコンポーネントキャリアとDLコンポーネントキャリアをユーザ装置UEに対して導入してユーザ装置UE を設定することができる。さらに、ユーザ装置UE用のこれらULおよびDLコンポーネントキャリアはそれぞれ1つのULプライマリコンポーネントキャリア（PCC）および1つのDLプライマリコンポーネントキャリアを含んでいなければならない。プライマリコンポーネントキャリア以外のコンポーネントキャリアは、ULまたはDLセカンダリコンポーネントキャリア(SCC: Secondary Component Carrier)と称する。ULおよびDLセカンダリコンポーネントキャリアのそれぞれの数は任意であり、利用可能な無線リソース、および、ユーザ装置UEの性能と関係している。また、プライマリコンポーネントキャリア上で動作するセルを一次セルと称し、セカンダリコンポーネントキャリア上で動作するセルを二次セルと称する。従って、ユーザ装置UEが複数のコンポーネントキャリアを導入して設定された場合には、このユーザ装置UEは、この複数のコンポーネントキャリアに対応する複数のセルを備えて設定されていることを意味する。
【先行技術文献】
【非特許文献】
【０００７】
【非特許文献１】3GPP TSG-RAN WG2 Meeting #71 R2-104991 Madrid, Spain, 23- 27 August 2010  "Introduction of Carrier Aggregation", CHANGE REQUEST 36.331 CR CRNum rev - Current version: 9.3.0
【非特許文献２】3GPP TSG RAN WG2 #71  R2-10xxxx 23 - 27 August 2010, Madrid, Spain  Date: 27 August 2010  Source:       Chairman a.o.  Object: Proposed Agenda
【非特許文献３】3GPP TS 36.331 V9.3.0 (2010-06) Technical Specification 3rd Generation Partnership Project; Technical Specification Group Radio Access Network; Evolved Universal Terrestrial Radio Access (E-UTRA); Radio Resource Control (RRC); Protocol specification (Release 9)
【非特許文献４】3GPP TS 25.413 V9.3.0 (2010-06) Technical Specification 3rd Generation Partnership Project; Technical Specification Group Radio Access Network; UTRAN Iu interface  Radio Access Network Application Part (RANAP) signalling (Release 9)
【発明の概要】
【発明が解決しようとする課題】
【０００８】
一方、ハンドオーバは、異なる無線アクセス技術の間で発生するハンドオーバ、すなわち、inter-RAT (Radio Access Technology) ハンドオーバであってもよい。例えば、ユーザ装置UEのハンドオーバは、LTEシステムの発展型ノードeNBから、LTE-AシステムまたはUMTSの発展型ノードeNBへと行ってもよいし、この逆でもよい。ここで、inter-RATハンドオーバが発生する場合には、異なる無線アクセス技術間の機能的な相違を考慮する必要がある。また、ユーザ装置UEのハンドオーバが、LTE-Aシステムの発展型ノードeNBから、LTEシステムまたはUMTS（または、さらに以前のシステム）の発展型ノードeNBへと行われた場合については、LTEシステムまたはUMTSの発展型ノードeNBは複数のコンポーネントキャリアをサポートしておらず、従って、複数のセルもサポートしていないため、どのように二次セルを扱うべきかは知られていなかった。加えて、ユーザ装置UEのハンドオーバが、LTEシステムまたはUMTSの発展型ノードeNBから、LTE-Aシステムの発展型ノードeNBへと行われた場合については、LTEシステムまたはUMTSの発展型ノードeNBはCAをサポートしておらず、測定結果をLTE-Aシステムの発展型ノードeNBへ提供することができないため、LTE-Aシステムの発展型ノードeNBは、複数のコンポーネントキャリアをユーザ装置UEに速やかに割り当てることができない。言い換えれば、この２つの発展型ノードeNBおよびユーザ装置UEは、inter-RATハンドオーバが発生した際に、正常かつ効率的に動作できない可能性がある。従って、ユーザ装置UEと発展型ノードeNBが正常に動作し、リソース（例えば、コンポーネントキャリア、および／または、電力）を効率的に利用して、それぞれが最高の性能を発揮できるように、inter-RATハンドオーバに関する信号方式およびプロトコルを設計する必要がある。
【０００９】
従って、本発明は、上記の問題を解決するために、二次セルを設定する方法および関連する通信装置を提供する。
【課題を解決するための手段】
【００１０】
本発明は、無線通信システムにおける、モバイル機器の、少なくとも１つの二次セルを処理する方法を開示する。前記モバイル機器は、前記無線通信システムの第1ネットワークにより管理される。前記方法は、前記第1ネットワークから前記無線通信システムの第2ネットワークへのハンドオーバを前記携帯型機器に指示するハンドオーバコマンドを、前記第1ネットワークから受信した後、前記少なくとも１つの二次セルを解放する工程を含み、前記第2ネットワークは、3GPP Rel-9または3GPP Rel-9より前のバージョンの3GPP規格に適合しており、前記第1ネットワークは、3GPP Rel-10または3GPP Rel-10より後のバージョンの3GPP規格に適合していることを特徴とする。
【００１１】
また、本発明は、無線通信システムの第1ネットワークから前記無線通信システムの第2ネットワークへのinter-RAT（radio access technology）ハンドオーバを処理する方法を開示する。前記方法は、複数の測定結果を前記第2ネットワークへ送信する工程を含み、前記複数の測定結果は、第1コンポーネントキャリアに最適なセルの情報、および第2コンポーネントキャリアが利用可能な少なくとも１つのセルの情報を含むことを特徴とする。
【００１２】
本発明のこれらの目的、および、その他の目的は、様々な図面に示した好ましい実施形態についての以下の詳細な説明を読めば、当該技術分野において通常の技術を持つ者には明らかとなるであろう。
【図面の簡単な説明】
【００１３】
【図１】本発明に係る一例としての無線通信システムの概略図である。
【図２】本発明に係る一例としての通信装置の概略図である。
【図３】本発明に係る一例としての無線通信システムのための、通信プロトコル層の概略図である。
【図４】本発明に係る一例としてのinter-RATハンドオーバの概略図である。
【図５】本発明に係る一例としてのinter-RATハンドオーバの概略図である。
【図６】本発明に係る一例としてのプロセスのフローチャートである。
【発明を実施するための形態】
【００１４】
〔関連出願の相互参照〕
本出願は、2010年9月14日に出願された、米国仮出願番号第61/382,495、発明の名称「Method and Apparatus for configuring secondary cells in a wireless communication system」の利益を主張し、そのすべての内容は本明細書に組み込まれる。
【００１５】
〔詳細な説明〕
図１は、本発明の一例である無線通信システム10の概略図である。ユニバーサル移動体通信システム（UMTS: Universal Mobile Telecommunications System）、ロング・ターム・エボルーション（LTE: Long-Term Evolution）システム、あるいは、キャリアアグリゲーション (CA: Carrier Aggregation)をサポートしたLTE-advanced (LTE-A)システムのような無線通信システム10は、概略的にはネットワークと複数のユーザ装置 (UE) からなる。図１に示すネットワークとユーザ装置UEは、単に、無線通信システム10の構造を説明するためのものである。実際には、ネットワークは、UMTSにおいて複数のノードB（NB）を有したUTRAN、あるいは、LTEシステムにおいて複数の発展型ノードB（Evolved Node B: eNB）を有した発展型ユニバーサル地上波無線アクセスネットワーク（E-UTRAN）と表現できる。さらに、ネットワークは、LTE-Aシステムにおいて、複数の発展型ノードeNBおよび複数の中継を有するE-UTRANとも表現できる。ユーザ装置UEは、携帯電話、ノート型パソコン、タブレットコンピュータ、電子書籍、および携帯型コンピュータシステムのような、モバイル機器である。ネットワークとユーザ装置UEは、伝送方向に応じて、送信機または受信機とみなしてもよい。例えば、アップリンク（UL）については、ユーザ装置UEは送信機であり、ネットワークは受信機である。ダウンリンク（DL）については、ネットワークが送信機であり、ユーザ装置UEは受信機である。
【００１６】
図２は、本発明の一例である通信装置20の概略図である。通信装置20は、図１に示したユーザ装置UEまたはネットワークであってよいが、これに限定されない。通信装置20は、マイクロプロセッサまたは特定用途向け集積回路（ASIC: Application Specific Integrated Circuit）のようなプロセッサ200、記憶ユニット210、および通信インターフェースユニット220を有している。記憶ユニット 210は、プロセッサ200がアクセスするプログラムコード214を記憶することができれば、どのようなデータ記憶装置であってもよい。記憶ユニット210の例としては、これらに限定されないが、加入者識別モジュール（SIM）、リードオンリーメモリ（ROM）、フラッシュメモリ、ランダムアクセスメモリ（RAM）、CD-ROM/DVD-ROM、磁気テープ、ハードディスク、および光データ記憶装置が挙げられる。通信インターフェースユニット220は無線送受信機であり、プロセッサ200の処理結果に応じて、ネットワークと無線信号を交換可能であることが好ましい。
【００１７】
図３は、無線通信システム10のための通信プロトコル層を示す、概略図である。いくつかの通信プロトコル層の挙動は、プログラムコード214において定義されており、処理手段200により実行される。通信プロトコル層は、上から順に、無線リソース制御（RRC: Radio Resource Control）層300、パケットデータコンバージェンスプロトコル（PDCP: Packet Data Convergence Protocol）層302、無線リンク制御（RLC: Radio Link Control）層304、媒体アクセス制御（MAC: Medium Access Control）層306、および物理（PHY: Physical）層となっている。RRC層300は、無線ベアラの生成・解放を担う無線ベアラ制御、ブロードキャスト、呼び出し、RRC接続管理、および、測定報告・測定管理を実行するために使用される。PDCP層302は、伝送データの暗号化および完全性保護、ならびに、ハンドオーバ中の配信順序維持のために使用される。RLC層304は、パケットの分割／連結、および、パケットが失われた場合の配信順序維持のために使用される。MAC層306は、ハイブリッド自動再送要求（HARQ: hybrid Automatic Repeat Request）プロセス、論理チャネルの多重化、ランダムアクセスチャネル（RACH: Random Access Channel）手順、およびULタイミング調整を担っている。個々のHARQプロセスにおいては、MACデータ／制御パケットが受信され、復号されると、肯定応答（ACK）がネットワークへ報告される。さもなければ、否定応答（NACK）がネットワークへ報告される。PHY層308は、物理チャネルを提供するために使用される。図３は、通信プロトコル層の挙動を概念的に図示しているのみであり、その挙動は、LTEシステムやUMTSシステムの場合には、異なったものであってもよい。例えば、PDCP層302は、UMTSシステムにおいて、RRCメッセージの伝送には使用されない。UMTSシステムにおけるPHY層308は、符号分割多元接続（CDMA: Code Division Multiple Access）技術あるいは時分割多元接続（TDMA: Time Division Multiple Access）を用いてもよいが、LTEシステムは、直交周波数分割多元接続（OFDMA: orthogonal frequency-division multiple access）／直交周波数分割多重（OFDM: orthogonal frequency-division multiplexing）技術を用いる。
【００１８】
図４は、本発明の一例であるinter-RAT（Radio Access Technology）ハンドオーバを示す概略図である。図４において、ユーザ装置UEのハンドオーバは、UTMSまたはLTEシステムのレガシーネットワークから、LTE-Aシステムの高度ネットワークへと行われる。すなわち、この高度ネットワークは、CAをサポートし、ユーザ装置UEに複数のセル（例えば、複数のコンポーネントキャリア）を割り当てることができるが、レガシーネットワークにはこれができない。
【００１９】
図５は、本発明の一例であるプロセス50のフローチャートである。プロセス50は、ユーザ装置UEのハンドオーバが高度ネットワークからレガシーネットワークへと行われる場合に、このユーザ装置UEの、少なくとも1つの二次セルを操作するために、図4に示したユーザ装置UEにおいて実行される。プロセス50は、プログラムコード214にコンパイルされてもよく、下記のステップを含む：
ステップ500：開始。
【００２０】
ステップ502：高度ネットワークからレガシーネットワークへのハンドオーバをユーザ装置UEに指示するハンドオーバコマンドを、高度ネットワークより受信した後、少なくとも１つの二次セルを解放する。
・ステップ504：終了。
【００２１】
ユーザ装置UEが高度ネットワークのサービスエリアからレガシーネットワークのサービスエリアへと移動する際、inter-RATハンドオーバが発生する。このとき、高度ネットワークは、レガシーネットワークへのハンドオーバをユーザ装置に指示するハンドオーバコマンドを送信し、ユーザ装置UEは、プロセス50に従って、少なくとも１つの二次セルを解放する。レガシーネットワークは、3GPP Rel-9と同等か、それ以前のバージョンの3GPP規格に適合しており、高度ネットワークは、3GPP Rel-10と同等か、それ以降のバージョンの3GPP規格に適合している。従って、レガシーネットワークはCAをサポートしていないので、ユーザ装置UEは、この少なくとも１つの二次セル上での伝送を待つ間に必要となる電力を浪費しないで済む。この省電力はプロセス50によって実現される。
【００２２】
フル設定（full configuration）がRRCConnectionReconfigurationメッセージに適用できることを示すために、ハンドオーバコマンドは、3GPP規格で定義されたフル設定（例えば、mobilityControlInfo）インジケータ（full configuration indicator）（例えば、fullConfig）を含むRRCConnectionReconfigurationメッセージであることが好ましいが、これに限定されない。
【００２３】
従って、上記の説明およびプロセス50によれば、ユーザ装置UEのハンドオーバが高度ネットワークからレガシーネットワークへと行われた場合、ユーザ装置UEは、レガシーネットワークがサポートしない少なくとも１つの二次セルを解放する。こうして、この少なくとも１つの二次セル上での伝送を待つ間に必要となる電力を、節約できる。
【００２４】
図６は、本発明の一例であるプロセス60を示すフローチャートである。プロセス60は、ユーザ装置UEのハンドオーバがレガシーネットワークから高度ネットワークへと行われる場合に、inter-RATハンドオーバを処理するために、図4に示したレガシーネットワークにおいて実行される。プロセス60は、プログラムコード214にコンパイルされてもよく、下記のステップを含む：
ステップ600：開始。
【００２５】
ステップ602：第1コンポーネントキャリアに最適なセルの情報、および、第2コンポーネントキャリアが利用可能な少なくとも１つのセルの情報を含む、複数の測定結果を高度ネットワークへ送信する。
【００２６】
ステップ604：終了。
【００２７】
ユーザ装置UEがレガシーネットワークのサービスエリアから高度ネットワークのサービスエリアへと移動する際、inter-RATハンドオーバが発生する。プロセス60によれば、レガシーネットワークは、第1コンポーネントキャリアに最適なセルの情報、および、第2コンポーネントキャリアが利用可能な少なくとも１つのセルの情報を含む複数の測定結果を、高度ネットワークへ送信する。第1コンポーネントキャリアに最適なセルは一次セルとして使用され、第2コンポーネントキャリアが利用可能な少なくとも１つのセルは二次セルとして利用されることが好ましい。従って、高度ネットワークは、inter-RATハンドオーバを続行できるだけでなく、複数の測定結果に基づいて、一次セルと少なくとも１つの二次セル、すなわち、複数のセル（例えば、複数のコンポーネントキャリア）をユーザ装置UEに速やかに割り当てることができる。従って、ユーザ装置UEは、複数のセルの割り当てを受けるための手順を必要とせず、inter-RATハンドオーバが完了した直後から、複数のセルを経由してサービスを受けることができる。
【００２８】
レガシーネットワークは、inter-RATハンドオーバを開始させるために、複数の測定結果を含むハンドオーバ準備メッセージ（handover preparation message）を、高度ネットワークへ送信することが好ましい。さらに、高度ネットワークは、ユーザ装置UEのための一次セルおよび少なくとも1つの二次セルを決定した後、この一次セルの一次セル設定情報、および、この少なくとも１つの二次セルの、少なくとも１つの二次セルを含む、ハンドオーバコマンドを生成する。そして、このハンドオーバコマンドは、レガシーネットワークへ送信され、レガシーネットワークにより、ユーザ装置UEへ転送される。従って、ユーザ装置UEは、一次セル設定情報および少なくとも１つの二次セル設定情報にそれぞれ従って、一次セルおよび少なくとも１つの二次セルをそれぞれ経由してサービスを受けることができる。
【００２９】
なお、レガシーネットワークは、3GPP Rel-9と同等か、それ以前のバージョンの3GPP規格に適合しており、高度ネットワークは、3GPP Rel-10と同等か、それ以降のバージョンの3GPP規格に適合している。ユーザ装置UEにinter-RATハンドオーバが発生したことを示すため、ハンドオーバコマンドは、3GPP規格で定義されたRRCConnectionReconfigurationメッセージであることが好ましいが、これに限定されない。
【００３０】
従って、上記の説明およびプロセス60によれば、ユーザ装置UEのハンドオーバがレガシーネットワークから高度ネットワークへと行われた場合、ユーザ装置UEは、inter-RATハンドオーバが完了した直後から、複数のセルを経由してサービスを受けることができる。ユーザ装置UEに複数のセルを設定するためのさらなる手順は必要なく、従って、この手順による遅延は発生せず、この手順のためのリソースも必要ない。
【００３１】
なお、推奨されるステップを含む、上記各プロセスのステップは、ハードウェア、または、電子システムといった手段、または、ハードウェアデバイス、コンピュータ命令、および、ハードウェアデバイス上に読み取り専用ソフトウェアとして存在するデータの組み合わせとして知られているファームウェアといった手段により実現できる。ハードウェアの例としては、超小型回路、マイクロチップ、または、シリコンチップとして知られる、アナログ回路、デジタル回路、および混在回路が挙げられる。電子システムの例としては、システムオンチップ（SOC）、システムインパッケージ（SiP）、コンピュータオンモジュール（COM）、および通信装置20が挙げられる。
【００３２】
結論として、本発明は、inter-RATハンドオーバが発生する場合に、複数のセルをユーザ装置UEに設定するための方法を提供する。本発明によれば、ユーザ装置のハンドオーバが高度ネットワークからレガシーネットワークへと行われる場合に、ユーザ装置は、少なくとも１つの二次セル上での伝送を待つ間に必要となる電力を節約できる。加えて、ユーザ装置UEは、そのハンドオーバがレガシーネットワークから高度ネットワークへと行われた直後から、複数のセルを経由してサービスを受けることができる。ユーザ装置UEに複数のセルを設定するためのさらなる手順は必要なく、従って、この手順による遅延は発生せず、この手順のためのリソースも必要ない。
【００３３】
本発明の教示を維持しながら、装置や方法を色々と変形・変更してもよいことは、当業者であれば容易に気づくであろう。従って、上記の開示は、単に、添付された請求項の範囲に限定されたものであると解すべきである。
【図１】
2012065319.tif 000003
【図２】
2012065319.tif 000004
【図３】
2012065319.tif 000005
【図４】
2012065319.tif 000006
【図５】
2012065319.tif 000007
【図６】
2012065319.tif 000008
【外国語明細書】
2012065319000001.pdf